(57)【要約】【課題】焦点距離が変化しても常に正確な被写体距離を知らせる。【解決手段】ＭＦリング１１８が回転すると、フォーカス駆動リング１１４が回転して係合部６ａが駆動され、第１のコーンリング６が回転し、円錐部６ｂが連結リング８を回転させ、連結リング８が第２のコーンリング７の円錐部７ｂを回転させ、被写体距離表示リング３が回転する。指標４が指す位置に位置した被写体距離表示リング３の数値表示３ａやアイコン３ｂが表示窓５から読み取られる。ズーム操作リング１２０の回転に伴って連結リング駆動部材９が連結リング８の位置を変化させることで、第１のコーンリング６の回転に対する第２のコーンリング７の回転が焦点距離に応じて増減速される。これにより、回転比（被写体距離表示リング３の回転量／ＭＦリング１１８の回転量）は焦点距離が長いほど大きくなる。【選択図】図２
2015049475.tif 000002
【特許請求の範囲】
【請求項１】
焦点距離が可変であり、合焦のために必要な合焦レンズの光軸方向への移動量が焦点距離によって変化する光学機器の被写体距離表示装置であって、
前記合焦レンズを光軸方向に駆動するための回転リングと、
被写体距離が表記され、前記回転リングの回転に伴って回転する表示リングと、
前記回転リングの回転量に対する前記表示リングの回転量を焦点距離に応じて変化させる補正手段と、
を有することを特徴とする光学機器の被写体距離表示装置。
【請求項２】
前記補正手段は、焦点距離が長いほど、前記回転リングの回転量に対する前記表示リングの回転量を大きくすることを特徴とする請求項１に記載の光学機器の被写体距離表示装置。
【請求項３】
前記補正手段は、前記回転リングの回転に連動して回転する第１の回転部材と、回転して前記表示リングを回転させる第２の回転部材と、前記第１の回転部材と前記第２の回転部材とに係合し、前記第１の回転部材の回転を前記第２の回転部材に伝える連動部材とを有し、
前記第１の回転部材及び前記第２の回転部材に対する前記連動部材の係合位置が焦点距離に応じて変化することを特徴とする請求項１または２に記載の光学機器の被写体距離表示装置。
【請求項４】
前記第１の回転部材の軸心及び前記第２の回転部材の軸心は平行であり、
焦点距離に応じて前記連動部材の位置が前記第１の回転部材の軸心に平行な方向に変化することで、前記連動部材に対する前記第１の回転部材の係合部分の直径、及び前記連動部材に対する前記第２の回転部材の係合部分の直径が、それぞれ変化することを特徴とする請求項３に記載の光学機器の被写体距離表示装置。
【請求項５】
焦点距離が長いほど、前記連動部材に対する前記第１の回転部材の係合部分の直径は大きくなり且つ、前記連動部材に対する前記第２の回転部材の係合部分の直径は小さくなるように、前記連動部材の位置が変化することを特徴とする請求項４に記載の光学機器の被写体距離表示装置。
【請求項６】
前記第１の回転部材及び前記第２の回転部材は、互いに反対方向に窄まる形状の円錐部を有することを特徴とする請求項４または５に記載の光学機器の被写体距離表示装置。
【請求項７】
前記補正手段は、
焦点距離を検出する第１の検出手段と、
前記回転リングの回転量を検出する第２の検出手段と、
前記第１の検出手段の検出結果及び前記第２の検出手段の検出結果に基づいて、前記回転リングの回転量に対する前記表示リングの回転量を決定する決定手段と、
前記第２の検出手段の検出結果と前記決定手段により決定された前記表示リングの回転量とに基づいて、前記表示リングを回転駆動する駆動手段とを有することを特徴とする請求項１に記載の光学機器の被写体距離表示装置。
【請求項８】
請求項１〜７のいずれか１項に記載の被写体距離表示装置を備えることを特徴とする光学機器。
【発明の詳細な説明】
【技術分野】
【０００１】
本発明は、焦点距離が可変で、合焦のために必要な合焦レンズの移動量が焦点距離によって変化する光学機器の被写体距離表示装置に関する。
【背景技術】
【０００２】
従来、焦点距離が可変であるズームレンズ鏡筒等の光学機器においては、合焦のために必要な合焦レンズの移動量（フォーカスストローク）が焦点距離によって変化する構成のものが知られている。すなわち、焦点距離の変化により、無限合焦位置から有限合焦位置に合焦位置を変化させるための合焦レンズの必要繰り出し量が変化する。
【０００３】
この種の光学機器として、下記特許文献１の光学機器の被写体距離表示装置は、合焦レンズを駆動する回転リングの回転に伴って回転し、被写体距離を表示するための表示リングを有する。表示リングに表記された距離のうち、レンズ固定部に形成された指標に位置するものを、被写体距離としてユーザが読み取れる構成となっている。
【先行技術文献】
【特許文献】
【０００４】
【特許文献１】特開平１０−１８６２１３号公報
【発明の概要】
【発明が解決しようとする課題】
【０００５】
特許文献１に開示された従来技術では、物体側に位置する第一レンズ群（いわゆる前玉）で合焦動作を行う際には、ズーム操作により焦点距離の変化が生じても、合焦レンズの繰り出し量は同一距離の被写体に対しては常に同じなので問題はない。しかし以下の場合には問題が発生する。
【０００６】
まず、ズームレンズの中には、前玉より後ろに位置する撮影レンズ群を用いて合焦動作を行ういわゆるインナーフォーカス方式や最後群の撮影レンズ群を用いて合焦動作を行うリアフォーカス方式の撮影レンズが存在する。このような合焦方式を採用すると、ズームレンズの各焦点距離において、同一距離の被写体へ合焦を行う際、その焦点距離における無限合焦位置からの合焦レンズの繰り出し量が変化する。
【０００７】
そのため、例えば回転リング（フォーカスカムリング）を回転操作して合焦レンズを光軸に沿って駆動することで合焦させる場合、合焦のために必要な回転リングの回転角度（回転量）が焦点距離によって異なる。例えば、同一の被写体に対する合焦動作の際、ワイド端時よりもテレ端時の方が、回転リングの必要回転量は小さい。このように、被写体合焦のために必要な、無限被写体に対する合焦位置からの回転リングの回転角度が焦点距離によって変化することとなる。
【０００８】
その一方、表示リングは回転リングの回転に応じて回転することから、表示リング上の距離表記の変位は回転リングの回転に応じることになる。そのため、焦点距離ごとに距離表記の変位量が変化してしまい、焦点距離によっては被写体距離を正確に知らせることができない、という問題が発生する。
【０００９】
本発明は上記従来技術の問題を解決するためになされたものであり、その目的は、焦点距離が変化しても常に正確な被写体距離を知らせることができるようにすることにある。
【課題を解決するための手段】
【００１０】
上記目的を達成するために本発明は、焦点距離が可変であり、合焦のために必要な合焦レンズの光軸方向への移動量が焦点距離によって変化する光学機器の被写体距離表示装置であって、前記合焦レンズを光軸方向に駆動するための回転リングと、被写体距離が表記され、前記回転リングの回転に伴って回転する表示リングと、前記回転リングの回転量に対する前記表示リングの回転量を焦点距離に応じて変化させる補正手段と、を有することを特徴とする。
【発明の効果】
【００１１】
本発明によれば、焦点距離が変化しても常に正確な被写体距離を知らせることができる。
【図面の簡単な説明】
【００１２】
【図１】第１の実施の形態に係る被写体距離表示装置が適用される光学機器の要部の模式的断面図である。
【図２】ワイド状態における被写体距離表示装置の展開図である。
【図３】テレ状態における被写体距離表示装置の展開図である。
【図４】第２の実施の形態に係る被写体距離表示装置における補正手段のブロック図である。
【発明を実施するための形態】
【００１３】
以下、本発明の実施の形態を図面を参照して説明する。
【００１４】
（第１の実施の形態）
図１（ａ）、（ｂ）は、本発明の第１の実施の形態に係る被写体距離表示装置が適用される光学機器の要部の模式的断面図である。
【００１５】
この光学機器として、撮影レンズ、特にズーム光学系を有するズームレンズ鏡筒を例示する。このズームレンズ鏡筒は、合焦レンズの光軸方向への移動量が焦点距離によって変化する鏡筒である。図１（ａ）は撮影画角が最大のワイド状態、図１（ｂ）は撮影画角が最小のテレ状態を示している。図１（ａ）、（ｂ）の左側が物体側（被写体側）、右側がピント面（像面）１０１側である。説明の便宜上、ズームレンズ鏡筒の光軸方向における被写体側を前側、ピント面１０１側を後側とする。
【００１６】
このズームレンズ鏡筒は、第一レンズ群１０２、第二レンズ群１０４、第三レンズ群１０６を有する。第一レンズ群１０２は正のパワーを有し、一群レンズ鏡筒１０３に保持される。第二レンズ群１０４は負のパワーを有し、二群レンズ鏡筒１０５に保持される。第三レンズ群１０６は正のパワーを有する合焦レンズ群であり、三群レンズ鏡筒１０７に保持される。これらレンズ群１０２、１０４、１０６により撮影光学系が構成される。
【００１７】
一群レンズ鏡筒１０３の外周側に直進案内筒１０８が配置される。直進案内筒１０８の外周側にはカムリング１０９が直進案内筒１０８に対して相対的に回転自在に位置する。一群レンズ鏡筒１０３の後部に固定されたカムフォロア１１０が、カムリング１０９と直進案内筒１０８とに相対的に摺動自在に係合する。
【００１８】
二群レンズ鏡筒１０５の後部にはカムフォロア１１１が固定され、カムフォロア１１０と同じくカムフォロア１１１はカムリング１０９と直進案内筒１０８とに相対的に摺動自在に係合する。
【００１９】
三群レンズ鏡筒１０７の後部にはカムフォロア１１２が固定されている。カムフォロア１１２は、第一レンズ群１０２や第二レンズ群１０４のカムフォロア１１０、１１１とは異なり、直進案内筒１０８及びカムリング１０９が挿通される。カムフォロア１１２はさらに、フォーカスカムリング１１３及びフォーカス駆動リング１１４に挿通される。フォーカスカムリング１１３にはフォーカスカムリング１１３を光軸に沿って駆動するためのカムフォロア１１５が、カムリング１０９と直進案内筒１０８とに相対的に摺動自在なように係合している。
【００２０】
カムフォロア１１２が、直進案内筒１０８及びカムリング１０９に対して決められた範囲内で自由に動けるように、カムフォロア１１２、直進案内筒１０８、カムリング１０９のそれぞれに逃げが形成されている。
【００２１】
固定筒１１６の後部には公知のマウント１１７が取り付けられる。マウント１１７には、直進案内筒１０８が固定されている。マウント１１７は本実施の形態における撮影光学系を不図示のカメラ本体に取り付けるためのバヨネット連結機構を有する公知の部品である。
【００２２】
固定筒１１６の後部には、回転リングとしてのマニュアルフォーカスリング１１８が設けられる。マニュアルフォーカスリング１１８（以下、「ＭＦリング１１８」と略記することもある）には、フォーカス駆動リング１１４を一体となって回転させるための連結ピン１１９が取りつけられている。撮影者がＭＦリング１１８を回転操作することで合焦状態を手動で変更することが可能である。
【００２３】
固定筒１１６の前部には、焦点距離を変化させるためのズーム操作リング１２０が設けられる。ズーム操作リング１２０とカムリング１０９とは一体となって回転するように不図示の連結部で連結されている。ズーム操作リング１２０を操作すると、それに伴ってカムリング１０９も一体となって回転する。
【００２４】
直進案内筒１０８には、光軸方向に案内溝が形成される。カムリング１０９は、第一レンズ群１０２及び第二レンズ群１０４の光軸方向における位置を規定するように形成されたカム溝を有する。これら直進案内筒１０８の案内溝とカムリング１０９のカム溝とに、カムフォロア１１０、１１１が摺動可能に係合している。
【００２５】
そのため、直進案内筒１０８の案内溝とカムリング１０９のカム溝との相対関係により、カムフォロア１１０、１１１はそれぞれ決められた位置に駆動される。よって、ズーム操作リング１２０の回転操作により、第一レンズ群１０２及び第二レンズ群１０４は、それぞれ光学上決められた位置に繰り出され、撮影光学系の像倍率を変化させることが可能となる。
【００２６】
その際、合焦レンズ群である第三レンズ群１０６は次のように駆動される。ズーム操作リング１２０の操作に伴って、カムリング１０９及び直進案内筒１０８の作用によりカムフォロア１１５が光軸に沿って進退する。
【００２７】
ズーム操作リング１２０の操作終了後、撮影者によりＭＦリング１１８が操作されると、連結ピン１１９の作用によりフォーカス駆動リング１１４が回転する。この動きによって第三レンズ群１０６のカムフォロア１１２も回転駆動される。すると、カムフォロア１１２の回転とフォーカスカムリング１１３に設けられたカム溝との作用により、第三レンズ群１０６が光軸に沿って駆動され、その結果、被写体への合焦が可能となる。
【００２８】
被写体距離の表示に関する構成を説明する。
【００２９】
フォーカス駆動リング１１４の前端部には回転可能な第１のコーンリング６が係合している。第１のコーンリング６には連結リング８が係合し、第２のコーンリング７を回転駆動することが可能となっている。そして第２のコーンリング７は被写体距離表示リング３の後端部と係合し、被写体距離表示リング３を回転駆動させる。固定筒１１６には、撮影者が被写体距離表示を視認するための表示窓５が形成されている。
【００３０】
詳細は後述するが、連結リング駆動部材９の作用により、連結リング８は、ズーム操作リング１２０の回転位置に応じて第１のコーンリング６及び第２のコーンリング７に対する係合位置を変化させる。これにより、フォーカス駆動リング１１４の回転量に対する、被写体距離表示リング３の回転量の比を可変にしている。
【００３１】
図２（ａ）、（ｂ）は、ワイド状態における被写体距離表示装置１００の展開図である。図３（ａ）、（ｂ）は、テレ状態における被写体距離表示装置１００の展開図である。図２、図３では、ＭＦリング１１８及び被写体距離表示リング３の外周側から見ており、各図の上下方向は光軸方向に平行で、上側が被写体側である。また、図２（ａ）、図３（ａ）はいずれも、被写体距離３ｍに合焦させた状態を示し、図２（ｂ）、図３（ｂ）はいずれも、最近接撮影である被写体距離５０ｃｍに合焦させた状態を示している。
【００３２】
被写体距離表示リング３の外周面には、被写体距離を１ｍ、３ｍ、５ｍ等の数値で表す数値表示３ａやマークで表すアイコン３ｂが表記されている。一方、固定筒１１６の外面には指標４が表記されている。被写体距離表示リング３の表記（数値表示３ａやアイコン３ｂ）は表示窓５を通して視認でき、被写体距離表示リング３の回転により表記の位置も変化する。表記のうち指標４の位置に一致したものを、撮影者は現在の被写体距離として読み取り、認識することができる。
【００３３】
第１のコーンリング６、第２のコーンリング７はいずれも回転部材であり、固定筒１１６または固定筒１１６に対して固定的な部分に設けられた軸支部（図示せず）に対して軸支されている。図２（ａ）に示すように、第１のコーンリング６は、軸心Ｐ１を中心に回転自在で、第２のコーンリング７は軸心Ｐ２を中心に回転自在である。軸心Ｐ１、Ｐ２はいずれも、光軸に対して平行である。
【００３４】
第１のコーンリング６は、軸心Ｐ１を中心に一体に回転する係合部６ａ及び円錐部６ｂを有する。第２のコーンリング７は、軸心Ｐ２を中心に一体に回転する係合部７ａ及び円錐部７ｂを有する。円錐部６ｂと円錐部７ｂとは互いに反対方向に窄まる形状となっていて、円錐部６ｂが前方に窄まり円錐部７ｂが後方に窄まっている。円錐部６ｂと円錐部７ｂとは直接に接触しない程度に近接している。円錐部６ｂ、７ｂ間には連結リング８が巻き付けられており、連結リング８が、円錐部６ｂの回転を円錐部７ｂに伝達する連動部材として機能する。
【００３５】
連結リング８は、例えば、無端状のベルトであり、円錐部６ｂ、７ｂの外周面に対して摩擦により力が伝達されるように係合している。なお、連結リング８と円錐部６ｂ、７ｂとの係合関係を、ラック＆ピニオンのようにギア係合で構成してもよい。
【００３６】
第１のコーンリング６の係合部６ａは、フォーカス駆動リング１１４の内径部と係合し、ＭＦリング１１８の回転に伴ってフォーカス駆動リング１１４に駆動されて回転する。また、第２のコーンリング７の係合部７ａは、被写体距離表示リング３の内径部と係合している。第１のコーンリング６の回転が、連結リング８を介して第２のコーンリング７に伝わり第２のコーンリング７が回転すると、第２のコーンリング７の係合部７ａにより被写体距離表示リング３が回転駆動される。
【００３７】
連結リング８には連結リング駆動部材９が係合している。すなわち、連結リング駆動部材９には、連結リング８を摺動可能に保持する係合部が図２（ａ）の裏面側に突設されて連結リング８の光軸方向における位置が規定されるとともに、連結リング８の回転は許容される。また、連結リング駆動部材９の被係合突部９ａは、カムリング１０９のカム溝１０９ａに係合し、被係合部９ａを光軸に沿って案内する（図１参照）。またもう一つの被係合突部９ｂは、固定筒１１６に形成された直進案内溝１０と係合することよりその回転方向位置が規制されている。
【００３８】
従って、ズーム操作リング１２０が回転するとカムリング１０９が回転し、連結リング駆動部材９が光軸方向に沿って変位する。連結リング８は連結リング駆動部材９と共に位置を光軸方向に変化させる。ここで、円錐部６ｂと円錐部７ｂとは互いに反対方向に窄まっている。しかも、円錐部６ｂと円錐部７ｂとは同じ形状であって、前後反転した関係となっている。従って、連結リング８は、とり得るどの位置であっても、円錐部６ｂ及び円錐部７ｂの各々の外周部に対して適切に係合できる。従って、連結リング８は、掛け回しの全長を可変に構成する必要がなく、構成が簡単である。
【００３９】
かかる構成において、焦点距離がワイド状態からテレ状態に変化した場合を例にとって被写体距離表示の態様を説明する。
【００４０】
一般に、インナーフォーカスレンズ、及びリアフォーカスレンズにおいて、無限被写体から至近被写体へ合焦を行うための合焦レンズの必要駆動量、すなわちフォーカスストロークは、ワイド状態の方がテレ側に比べて大きくなる。またそのストローク量は焦点距離に応じて徐々に変化していく。
【００４１】
まず、ワイド状態での合焦動作について説明する。使用開始時において、図１（ａ）、図２（ａ）に示したように、ちょうど３ｍの被写体に合焦しているとする。この状態から、例えば撮影者が最近接撮影である５０ｃｍの被写体に合焦動作を行うには、マニュアル操作によりＭＦリング１１８を図２（ａ）の右方向であるＦ１方向（後方から見て時計方向）に回転させる。
【００４２】
ＭＦリング１１８が回転すると、フォーカス駆動リング１１４が回転して係合部６ａが駆動され、第１のコーンリング６が回転する。すなわち、ＭＦリング１１８の回転に伴って第１のコーンリング６はＦ２方向（後方から見て時計方向）に回転する。第１のコーンリング６が回転すると、円錐部６ｂが連結リング８をＦ３方向に回転させ、連結リング８が円錐部７ｂをＦ４方向に回転させる。第２のコーンリング７がＦ４方向に回転すると、被写体距離表示リング３がＦ５方向に回転する。
【００４３】
すなわち、ＭＦリング１１８が回転すると、被写体距離表示リング３も同じ方向に回転することになる。被写体距離表示リング３は、ワイド状態における、その時の合焦位置、すなわち被写体距離を表示しながら回転していく。最終的にマクロ位置である被写体距離５０ｃｍに合焦すると、指標４が指す位置に被写体距離表示リング３のアイコン３ｂ（チューリップマーク）が位置し（図２（ｂ））、撮影者に被写体距離５０ｃｍに合焦した近距離撮影となったことが知らされる。近い位置から遠い位置へと合焦位置を変化させる場合は、回転方向がこれとは逆になる。
【００４４】
次に、図２のワイド状態で被写体距離が３ｍの状態から、撮影者がズーム操作リング１２０によるズーム操作を行ってテレ状態にした時の動作を説明する。
【００４５】
ズーム操作において、カムリング１０９は図３（ａ）のＦ６方向に回転し、テレ状態に至るとズーム操作が完了する（図３（ａ））。このズーム操作により被写体距離表示装置１００においては以下のような対応動作が行われる。
【００４６】
まず、ズーム操作が開始されると、カムリング１０９のカム溝１０９ａと係合している連結リング駆動部材９の被係合突部９ａが図３（ａ）の下方向（後方）に駆動され、テレ状態においては図３（ａ）に示す位置まで連結リング駆動部材９が駆動される。
【００４７】
ズーム操作により第三レンズ群１０６も光軸に沿って移動するが、被写体距離３ｍに合焦し続けるようにカムリング１０９とＭＦリング１１８とが構成されている。連結リング駆動部材９が後方に変位するのに伴い、連結リング８も後方に変位する。テレ状態においては両者が図３（ａ）に示す位置に到達する。連結リング８は連結リング駆動部材９に対して相対的に摺動可能なので、その位置でも回転が可能である。
【００４８】
この３ｍの被写体に合焦したテレ状態から、例えば撮影者が最近接撮影である５０ｃｍの被写体に合焦動作を行う。その際のＭＦリング１１８の回転動作に伴う被写体距離表示リング３の回転のメカニズムはワイド状態時と同じである。従って、ＭＦリング１１８→フォーカス駆動リング１１４→第１のコーンリング６→連結リング８→第２のコーンリング７→被写体距離表示リング３へと、回転が伝達されていく。ただし、ＭＦリング１１８の回転量に対する被写体距離表示リング３の回転量はワイド状態時とは異なる。
【００４９】
まず、図２と図３と比較してわかるように、ワイド状態時と比べてテレ状態時には、連結リング８が後方に位置する。そのため、連結リング８に対する係合する円錐部６ａの係合部分の直径は、ワイド状態時よりも大きくなり、連結リング８に対する係合する円錐部７ａの係合部分の直径は、ワイド状態時よりも小さくなる。これらから、第１のコーンリング６の回転に対する第２のコーンリング７の回転量は、ワイド状態時に比較して、テレ状態時に近くなるほど、大きくなる。
【００５０】
ここで、ＭＦリング１１８と被写体距離表示リング３との回転量の関係を考察するために、ＭＦリング１１８における決まった位置、特定位置１１８ａを考える（図２（ａ）、図３（ａ））。特定位置１１８ａはどの位置でもかまわない。ワイド状態において、合焦する被写体距離を３ｍ（図２（ａ））から５０ｃｍ（図２（ｂ））に変化させると、特定位置１１８ａは、回転距離ＬＷ（図２（ｂ）参照）だけ変位した。回転距離ＬＷが、ワイド状態におけるＭＦリング１１８の必要な回転変位量である。
【００５１】
一方、テレ状態において合焦する被写体距離を３ｍ（図３（ａ））から５０ｃｍ（図３（ｂ））に変化させると、特定位置１１８ａは、回転距離ＬＴ（図２（ｂ）参照）だけ変位した。回転距離ＬＴは回転距離ＬＷよりも小さい。これは、ワイド状態時よりもテレ状態時の方が、無限被写体から至近被写体へ合焦を行うための第三レンズ群１０６の必要駆動量、すなわちフォーカスストロークが小さいからである。
【００５２】
一方、合焦位置が３ｍから５０ｃｍに変化する際の被写体距離表示リング３の回転量は、ワイド状態時とテレ状態時とで等しくなっている。このように、焦点距離にかかわらず、３ｍから５０ｃｍへの合焦のための被写体距離表示リング３の回転量が一定となり、常に正確な被写体距離表示を実現できるのは次の理由からである。
【００５３】
ワイド状態からテレ状態になると、連結リング８は第１のコーンリング６の円錐部６ａの大径部に、そして第２のコーンリング７の円錐部７ａの小径部に係合する。この状態において第１のコーンリング６が回転すると第２のコーンリング７はその直径比分だけ増速されて回転する。従って、テレ状態での少ないマニュアルフォーカスリング１１８の回転量であっても、その回転量が増速されて被写体距離表示リング３が駆動される。焦点距離がどの位置にあっても、同じ被写体距離の変化に対する合焦動作に伴う被写体距離表示リング３の回転量を常に一定に保てるように、カム溝１０９ａが設計されている。よって正確な被写体距離表示が実現される。
【００５４】
ＭＦリング１１８の回転量（回転角度）に対する被写体距離表示リング３の回転量（回転角度）を回転比（被写体距離表示リング３の回転量／ＭＦリング１１８の回転量）とする。第１のコーンリング６、第２のコーンリング７、連結リング８及び連結リング駆動部材９が、焦点距離に応じて上記回転比を変化させる（より詳細には焦点距離が長いほど上記回転比が大きくなるよう補正する）補正手段としての役割を果たす。すなわち、ズーム操作リング１２０の回転に伴って連結リング駆動部材９が連結リング８の位置を変化させることで、第１のコーンリング６の回転量に対する第２のコーンリング７の回転量が焦点距離に応じて変化し、その結果、上記回転比が変化する。なお、回転比は、フォーカス駆動リング１１４の回転量に対する被写体距離表示リング３の回転量として考えてもよい。
【００５５】
本実施の形態によれば、ＭＦリング１１８の回転量に対する被写体距離表示リング３の回転量を焦点距離に応じて変化させるので、焦点距離が変化しても常に正確な被写体距離を知らせることができる。
【００５６】
なお、ＭＦリング１１８は手動操作される構成であったが、これに限定されず、駆動源からの駆動力により自動的に合焦動作が行われるオートフォーカス動作にも本発明を適用可能である。その場合、例えば、駆動力はフォーカス駆動リング１１４へ供給される構成とし、回転リングとしてのフォーカス駆動リング１１４の回転量に対する被写体距離表示リング３の回転量を焦点距離に応じて変化させるように構成すればよい。
【００５７】
（第２の実施の形態）
第１の実施の形態では、被写体距離表示装置１００において焦点距離に応じて回転比を異ならせる補正手段をメカ構成で実現した。しかしこれに限定されることなく、補正手段を制御機構で構成してもよい。
【００５８】
図４は、本発明の第２の実施の形態に係る被写体距離表示装置における補正手段のブロック図である。本実施の形態では、補正手段として、第１のコーンリング６、第２のコーンリング７、連結リング８及び連結リング駆動部材９に代えて、焦点距離検出部１２１、リング回転量検出部１２２、制御部１２３及びモータ１２６を備える。その他の構成は第１の実施の形態と同様である。
【００５９】
焦点距離検出部１２１は、焦点距離を検出する構成であればよく、例えばズーム操作リング１２０の回転変位量を検出する。リング回転量検出部１２２は、ＭＦリング１１８またはフォーカス駆動リング１１４の回転変位量を検出する。これらはロータリエンコーダ等で構成できる。制御部１２３は、回転比決定部１２４及び駆動指示部１２５を有する。モータ１２６は、被写体距離表示リング３を回転駆動する。
【００６０】
かかる構成において、焦点距離検出部１２１の検出結果及びリング回転量検出部１２２の検出結果に基づいて、回転比決定部１２４が回転比を決定する。そして、ＭＦリング１１８またはフォーカス駆動リング１１４の回転量に対する被写体距離表示リング３の回転量（回転比）が、回転比決定部１２４により決定された回転比となるように、駆動指示部１２５がモータ１２６に駆動指示を送る。モータ１２６が指示に従って被写体距離表示リング３を回転駆動する。焦点距離がどの位置にあっても、同じ被写体距離の変化に対する合焦動作に伴う被写体距離表示リング３の回転量を常に一定に保てるように、回転比決定部１２４が回転比を決定する。
【００６１】
本実施の形態によれば、焦点距離が変化しても常に正確な被写体距離を知らせることに関し、第１の実施の形態と同様の効果を奏することができる。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００６３】
３  被写体距離表示リング
６  第１のコーンリング
７  第２のコーンリング
８  連結リング
９  連結リング駆動部材
１０６  第三レンズ群
１１４  フォーカス駆動リング
１１８  ＭＦリング
１２０  ズーム操作リング
【図１】
2015049475.tif 000003
【図２】
2015049475.tif 000004
【図３】
2015049475.tif 000005
【図４】
2015049475.tif 000006